(57)【要約】【課題】従来の加熱調理器には、駆動回路の電気部品の配列が、風上側に背の高いものがある場合、風下側の電気部品はその陰になり、冷却風が充分当たらないという課題及び加熱コイルには充分の冷却風が当たらないという課題があった。【解決手段】この発明においては、加熱コイルと駆動回路との仕切りに通風穴、風向板を設けて、駆動回路の電気部品の配列が風上に背の高い電機部品があっても、風下の電気部品に冷却風が当り、また、加熱コイルにも十分な冷却風が行くようにした。【選択図】　　　　図１
2004087424.tif 000002
【特許請求の範囲】
【請求項１】
加熱コイルと前記加熱コイルに電流を供給する駆動回路とにより構成した誘導加熱部と、前記誘導加熱部の側方に配置した冷却ファンと、前記加熱コイルの下で、前記駆動回路を覆う仕切りと、前記仕切りの天面部に、下向きに傾斜した風向板とを備えたことを特徴とする加熱調理器。
【請求項２】
前記駆動回路の電気部品の配列を、風上側からコンデンサ、チョークコイルの順とし、前記仕切りの天面部に設けた下向きに傾斜した風向板は、前記コンデンサを越えた冷却風が前記チョークコイルに向くように、傾斜していることを特徴とする請求項１に記載の加熱調理器。
【請求項３】
加熱コイルと前記加熱コイルに電流を供給する駆動回路とにより構成した誘導加熱部と、前記誘導加熱部の側方に配置した冷却ファンと、前記加熱コイルの下で、前記駆動回路を覆う仕切りとを備え、
前記仕切りの天面部に通風穴を設け、また、前記通風穴の風上側に、上向きに傾斜した風向板と、前記通風穴の風下側に、前記加熱コイルに向けて、上方に傾斜した風向板とを設けたことを特徴とする加熱調理器。
【発明の詳細な説明】
【０００１】
【発明の属する技術分野】
本発明は、加熱調理器に関し、特に加熱調理器の冷却に関するものである。
【０００２】
【従来の技術】
図３は従来の加熱調理器の斜視図、図４は従来の加熱調理器の後述の図８に対して垂直方向の断面図、図５は従来の加熱調理器の上ユニットの内部斜視図、図６は従来の加熱調理器のヒータ加熱部を含む部分断面図、図７は従来の加熱調理器の操作部を含む部分断面図、図８は従来の加熱調理器のロースタ加熱部を含む部分断面図である。
これらの図において、１１は上ユニット、１２はプレートで、フレーム１３で固定されている。１４は上ユニットの上本体ケースで、後部の両端には上吸気口１５ａ、１５ｂ、中央には排気口１６ａ、１６ｂを有している。１７ａ、１７ｂは冷却ファンで、吸気口１５ａ、１５ｂの近傍に取付けられている。１８ａ、１８ｂはファン仕切りで、吸気への排気の混入を抑制している。１９ａ、１９ｂは加熱コイルで基板ベース２０ａ、２０ｂのボスに固定されている。２１ａ、２１ｂは第１の駆動回路で、加熱コイル１９ａ、１９ｂと電気的に接続している。第１の駆動回路２１ａ、２１ｂと加熱コイル１９ａ、１９ｂとで誘導加熱部２２ａ、２２ｂを構成している。２３ａ、２３ｂはコの字状の仕切りで、加熱コイル１９ａ、１９ｂと第１の駆動回路２１ａ、２１ｂとの間に設けられている。２４ａ、２４ｂは連通穴で、基板ベース２０ａ、２０ｂに設けられている。
【０００３】
排気口１６ａ、１６ｂの近傍には、ニクロムヒータを有するヒータ加熱部２５を有している。ヒータ加熱部２５の下には隙間をあけ駆動回路２１ａ、２１ｂの補助をする第２の駆動回路２６が設けられている。２７は下ユニットである。２８は下ユニットの下本体ケースである。２９はロースタ加熱部で、前面には扉３０を有し、調理室３１にはヒータ３２を具備している。排気口１６ａ、１６ｂの中にはロースタ加熱部２９の煙突３３を取付けている。３４は遮熱カバーである。上ユニット１１と遮熱カバー３４との間には隙間３５がある。３６は操作部で、使用者側である下ユニット２７の前部に取付けられている。また、操作部３６は誘導加熱部２２ａ、２２ｂやヒータ加熱部２５、ロースタ加熱部２９のスイッチ３７とその表示部３８を具備している。
【０００４】
また、３９は操作部３６の後部に構成された空間部であり、上ユニット１１と遮熱カバー３４との隙間３５と空間部３９とは連通している。４０は電源スイッチである。４１は操作部３６側の排気穴、４２はロースタ加熱部２９側の排気穴で、両排気穴４１、４２は上ユニットの上本体ケース１４の底部に設けられている。４３は吸排気グリルで上ユニット１１後部に取付けられている。４４は下ユニット２７の前面上部に取付けられているルーバーである。４５は上ユニット１１と下ユニット２７とからなる本体で、厨房家具４６内に固定されている。４７は鍋等の被加熱物である。
【０００５】
以上のように構成された加熱調理器において、誘導加熱部２２ａ、２２ｂの動作としては、プレート１２の上に被加熱物４７を載せ、操作部３６のスイッチ３７を選択し、操作することによって本体内部に設けられた加熱コイル１９ａ、１９ｂや第１の駆動回路２１ａ、２１ｂを動作し、被加熱物４７が誘導加熱される。この時、第１の駆動回路２１ａ、２１ｂ上のスイッチング素子やコンデンサ、更に加熱コイル１９ａ、１９ｂの温度上昇を抑えるために、冷却ファン１７ａ、１７ｂが動作し、仕切り２３ａ、２３ｂ内に冷却風を送り、冷却風は第１の駆動回路２１ａ、２１ｂを冷却した後に、加熱コイル１９ａ、１９ｂを冷却している。
【０００６】
【発明が解決しようとする課題】
しかしながら、このような構造においては、第１の駆動回路２１ａ、２１ｂ上に部品配置する時に、背の高い部品を風上に配置すると、その風下にある部品の冷却が不充分となるため、駆動回路の基板設計が制約される問題があった。
【０００７】
また、冷却風を加熱コイル１９ａ、１９ｂに導くのに効率よく当たらないという問題があった。
【０００８】
本発明は、上記のような問題に鑑み、加熱調理器の冷却の改善を目的とするもので、冷却風を導く仕切りの形状を改善することにより、駆動回路の冷却が充分となり、駆動回路のレイアウトの自由度を高くできる加熱調理器を提供することを目的とする。
また、加熱コイルへ充分に冷却風を導くことができる加熱調理器を提供することを目的とする。
【０００９】
【課題を解決するための手段】
この発明の請求項１に係る加熱調理器は、加熱コイルと加熱コイルに電流を供給する駆動回路とにより構成した誘導加熱部と、誘導加熱部の側方に配置した冷却ファンと、加熱コイルの下で、駆動回路を覆う仕切りと、仕切りの天面部に、下向きに傾斜した風向板とを備えたものである。
【００１０】
また、請求項２に係る加熱調理器は、請求項１に記載の加熱調理器において、駆動回路の電気部品の配列を、風上側からコンデンサ、チョークコイルの順とし、仕切りの天面部に設けた下向きに傾斜した風向板は、コンデンサを越えて冷却風がチョークコイルに向くように、傾斜しているものである。
【００１１】
また、請求項３に係る加熱調理器は、加熱コイルと加熱コイルに電流を供給する駆動回路とにより構成した誘導加熱部と、誘導加熱部の側方に配置した冷却ファンと、加熱コイルの下で、駆動回路を覆う仕切りとを備え、仕切りの天面部に通風穴を設け、また、通風穴の風上側に、上向きに傾斜した風向板と、通風穴の風下側に、加熱コイルに向けて、上方に傾斜した風向板とを設けたものである。
【００１２】
【発明の実施の形態】
実施の形態１．
以下、この発明の実施の形態１を図について説明する。図１は本発明の実施の形態の加熱調理器の操作部を含む部分断面図、図２は同じく、加熱調理器のロースタ加熱部を含む部分断面図、図３は同じく、加熱調理器の斜視図、図４は同じく、加熱調理器の図２に対して垂直方向の断面図、図５は同じく、加熱調理器の上ユニットの内部斜視図、図６は同じく、加熱調理器のヒータ加熱部を含む部分断面図である。
【００１３】
これらの図において、１１は上ユニット、１２はプレートで、フレーム１３で固定されている。１４は上ユニットの上本体ケースで、後部の両端には上吸気口１５ａ、１５ｂ、中央には排気口１６ａ、１６ｂを有している。１７ａ、１７ｂは冷却ファンで、吸気口１５ａ、１５ｂの近傍に取付けられている。１８ａ、１８ｂはファン仕切りで、吸気への排気の混入を抑制している。１９ａ、１９ｂは加熱コイルで基板ベース２０ａ、２０ｂのボスに固定されている。２１ａ、２１ｂは第１の駆動回路で、加熱コイル１９ａ、１９ｂと電気的に接続している。第１の駆動回路２１ａ、２１ｂと加熱コイル１９ａ、１９ｂとで誘導加熱部２２ａ、２２ｂを構成している。２３ａ、２３ｂはコの字状の仕切りで、加熱コイル１９ａ、１９ｂの下で、加熱コイル１９ａ、１９ｂと第１の駆動回路２１ａ、２１ｂとの間に設けられている。２４ａ、２４ｂは連通穴で、基板ベース２０ａ、２０ｂに設けられている。
【００１４】
１ａ、１ｂは仕切り２３ａ、２３ｂの天面部に設けられた下向きに傾斜した風向板で、第１の駆動回路２１ａ、２１ｂ上の背の高い部品であるコンデンサ２ａ、２ｂの風下で、かつ、背の低い電気部品であるチョークコイル３ａ、３ｂの風上の位置に設けられている。即ち、風下側の背の低いチョークコイル３ａ、３ｂが背の高い風上のコンデンサ２ａ、２ｂの陰となり、冷却風が当たらなくなるのを防止するため、風上のコンデンサ２ａ、２ｂを越えた冷却風が、背の低いチョークコイル３ａ、３ｂに向くように風向板１ａ、１ｂを向けている。
４ａ、４ｂは加熱コイル１９ａ、１９ｂの下に位置する仕切り２３ａ、２３ｂの天面部に設けられた通風穴で、通風穴４ａ、４ｂの風上に位置する仕切り２３ａ、２３ｂの天面部に、上向きに傾斜した風向板５ａ、５ｂが設けられており、更に、通風穴４ａ、４ｂの風下に位置する仕切り２３ａ、２３ｂの天面部に加熱コイル１９ａ、１９ｂに向けて、上方に傾斜した風向板６ａ、６ｂが設けられている。
仕切り２３ａ、２３ｂの天面部に設けられた下向きに傾斜した風向板１ａ、１ｂ、上向きに傾斜した風向板５ａ、５ｂ、及び上方に傾斜した風向板６ａ、６ｂは、仕切り２３ａ、２３ｂの一部を加工して形成してもいいし、また、別の部品を取付けて形成してもよい。
【００１５】
また、排気口１６ａ、１６ｂの近傍には、ニクロムヒータを有するヒータ加熱部２５を有している。ヒータ加熱部２５の下には隙間をあけ駆動回路２１ａ、２１ｂの補助をする第２の駆動回路２６が設けられている。２７は下ユニットである。２８は下ユニットの下本体ケースである。２９はロースタ加熱部で、前面には扉３０を有し、調理室３１にはヒータ３２を具備している。排気口１６ａ、１６ｂの中にはロースタ加熱部２９の煙突３３を取付けている。３４は遮熱カバーである。上ユニット１１と遮熱カバー３４との間には隙間３５がある。３６は操作部で、使用者側である下ユニット２７の前部に取付けられている。また、操作部３６は誘導加熱部２２ａ、２２ｂやヒータ加熱部２５、ロースタ加熱部２９のスイッチ３７とその表示部３８を具備している。
【００１６】
また、３９は操作部３６の後部に構成された空間部であり、上ユニット１１と遮熱カバー３４との隙間３５と空間部３９とは連通している。４０は電源スイッチである。４１は操作部３６側の排気穴、４２はロースタ加熱部２９側の排気穴で、両排気穴４１、４２は上ユニットの上本体ケース１４の底部に設けられている。４３は吸排気グリルで上ユニット１１後部に取付けられている。４４は下ユニット２７の前面上部に取付けられているルーバーである。４５は上ユニット１１と下ユニット２７とからなる本体で、厨房家具４６内に固定されている。４７は鍋等の被加熱物である。
【００１７】
次に、この加熱調理器の動作を説明する。
誘導加熱部２２ａ、２２ｂの動作としては、プレート１２の上に被加熱物４７を載せ、操作部３６のスイッチ３７を操作することによって、本体内部に設けられた加熱コイル１９ａ、１９ｂや第１の駆動回路２１ａ、２１ｂ等が動作し加熱することができる。
また、ニクロムヒータのヒータ加熱部２５の動作としては、同様に操作部３６のスイッチ３７を選択して操作することによって、第２の駆動回路２６よりヒータ加熱部２５に電流が供給され、加熱されることになる。
【００１８】
更に、ロースタ加熱部２９の動作としては、調理室３１に魚等の調理物を入れ、同様に操作部３６のスイッチ３７を選択、操作することによって、第２の駆動回路２６よりヒータ３２に電流が供給され、加熱される。
【００１９】
誘導加熱部２２ａ、２２ｂを駆動させると、冷却ファン１７ａ、１７ｂが回転し、吸気口１５ａ、１５ｂから冷却風が取り込まれ、第１の駆動回路２１ａ、２１ｂへ送風される。この時、第１の駆動回路２１ａ、２１ｂは、仕切り２３ａ、２３ｂによって覆われているため、冷却風は、仕切り２３ａ、２３ｂ内を通り、第１の駆動回路２１ａ、２１ｂ上の部品を冷却する。
第１の駆動回路２１ａ、２１ｂ上に設けられた背の高いコンデンサ２ａ、２ｂの風下にある背の低いチョークコイル３ａ、３ｂは、風上に設けられた下向きに傾斜した風向板１ａ、１ｂに冷却風が導かれ、コンデンサ２ａ、２ｂの陰になるにもかかわらず、充分な冷却が可能となる。即ち、下向きに傾斜した風向板はコンデンサ２ａ、２ｂを越えて、冷却風がチョークコイル３ａ、３ｂに向くように傾斜しているので、冷却風がチョークコイル３ａ、３ｂに導かれる。
電気部品の配列が、風上に背が高い電気部品があり、風下の背の低い電気部品が陰になり、冷却風が当たらなくなる対策を説明したが、風上側の電機部品が大きなもので、その陰になり風下側の電気部品が冷却できないような場合には、本対策は適用できる。
そこで、仕切りの天面部に設けた、下向きに傾斜した風向板により、形はより大きいが、発熱はより小さい電気部品（例えば、コンデンサ２ａ、２ｂ）を風上に配置し、形はより小さいが、発熱のより大きい電気部品（例えば、チョークコイル３ａ、３ｂ）を風下に配置し、両電気部品に冷却風を当てるようにでき、かつ、発熱の大きい電気部品により温められた風が当たることにより冷却が不充分となることを回避できる等、駆動回路の電気部品の配列の自由度を増すことができる。
【００２０】
更に、仕切り２３ａ、２３ｂの天面部に設けられた通風穴４ａ、４ｂより、冷却風が加熱コイル１９ａ、１９ｂに送られるが、仕切り２３ａ、２３ｂを通る冷却風は、通風穴４ａ、４ｂを設けただけでは、通過してしまい、充分な冷却効果は得られない。
しかし、通風穴４ａ、４ｂの風上に、上方に傾斜した風向板５ａ、５ｂを設けているので、上向きに傾斜した風向板５ａ、５ｂ沿って冷却風が仕切り２３ａ、２３ｂの外に送られ、更に、加熱コイル１９ａ、１９ｂに向けて上方に傾斜した風向板６ａ、６ｂを設けたので、この上方に傾斜した風向板６ａ、６ｂに導かれて、効率良く、加熱コイル１９ａ、１９ｂを冷却することができる。
【００２１】
本実施の形態では、駆動回路の電気部品の配列を、風上側からコンデンサ２ａ、２ｂ、チョークコイルチョークコイル３ａ、３ｂの順とし、仕切り２３ａ、２３ｂの天面部に、下向きに傾斜した風向板１ａ、１ｂを備え、この下向きに傾斜した風向板１ａ、１ｂが、コンデンサ２ａ、２ｂを越えて冷却風がチョークコイル３ａ、３ｂに向くように傾斜させたので、コンデンサ２ａ、２ｂが背が高いため、その陰となるチョークコイル３ａ、３ｂに冷却風が当たらなくなるのを防止できる。また、コンデンサ２ａ、２ｂ、チョークコイル３ａ、３ｂの順とし、発熱が大きいチョークコイル３ａ、３ｂを風下とすることで、逆の配列とした場合に、コンデンサ２ａ、２ｂを冷却する冷却風がチョークコイル３ａ、３ｂで温められ、温度の上がった風により、コンデンサ３ａ、３ｂが冷やされなくなるのを防止できる。
【００２２】
【発明の効果】
以上説明した通り、この発明の加熱調理器は、加熱コイルと加熱コイルに電流を供給する駆動回路とにより構成した誘導加熱部と、誘導加熱部の側方に配置した冷却ファンと、加熱コイルの下で、駆動回路を覆う仕切りと、仕切りの天面部に、下向きに傾斜した風向板とを備えたので、下向きに傾斜した風向板に冷却風が導かれ、駆動回路上の陰になる電気部品にも冷却風を当てることができ、駆動回路の電気部品のレイアウトの自由度を高くできる。
【００２３】
また、本発明の加熱調理器は、加熱コイルと加熱コイルに電流を供給する駆動回路とにより構成した誘導加熱部と、誘導加熱部の側方に配置した冷却ファンと、加熱コイルの下で、駆動回路を覆う仕切りとを備え、仕切りの天面部に通風穴を設け、また、通風穴の風上側に、上向きに傾斜した風向板と、通風穴の風下側に、加熱コイルに向けて、上方に傾斜した風向板とを設けたので、加熱コイルに充分の冷却風を導くことができる。
【図面の簡単な説明】
【図１】本発明の実施の形態の加熱調理器の操作部を含む部分断面図である。
【図２】本発明の実施の形態の加熱調理器のロースター加熱部を含む部分断面図である。
【図３】本発明の実施の形態の加熱調理器及び従来の加熱調理器の斜視図である。
【図４】本発明の実施の形態の加熱調理器の図２及び従来の加熱調理器の図８に対して垂直方向の断面図である。
【図５】本発明の実施の形態の加熱調理器及び従来の加熱調理器の上ユニットの内部斜視図である。
【図６】本発明の実施の形態の加熱調理器及び従来の加熱調理器のヒータ加熱部を含む部分断面図である。
【図７】従来の加熱調理器の操作部を含む部分断面図である。
【図８】従来の加熱調理器のロースター加熱部を含む部分断面図である。
【符号の説明】
１ａ、１ｂ　下向きに傾斜した風向板、２ａ、２ｂ　コンデンサ、３ａ、３ｂチョークコイル、４ａ、４ｂ　通風穴、５ａ、５ｂ　上向きに傾斜した風向板、６ａ、６ｂ　上方に傾斜した風向板、１７ａ、１７ｂ　冷却ファン、１９ａ、１９ｂ　加熱コイル、２１ａ、２１ｂ　駆動回路、２２ａ、２２ｂ　誘導加熱部、２３ａ、２３ｂ　仕切り。
【図１】
2004087424.tif 000003
【図２】
2004087424.tif 000004
【図３】
2004087424.tif 000005
【図４】
2004087424.tif 000006
【図５】
2004087424.tif 000007
【図６】
2004087424.tif 000008
【図７】
2004087424.tif 000009
【図８】
2004087424.tif 000010